(57)【要約】【課題】最適のデータ率で信号を受信することができるＨＰＦの通過帯域または遮断周波数制御方法を提供すること。【解決手段】ＡＤＳＬモデムの高域通過フィルタの通過帯域および／または遮断周波数を調整する方法は、受信信号のレベルと所定の信号レベルとを比較し、その比較結果を提供する段階と、比較結果に基づいて制御信号を発生させる段階と、制御信号に応答してＡＤＳＬモデムの高域通過フィルタの通過帯域および／または遮断周波数を調節する段階とを具備する。【選択図】　　　図３
2004032727.tif 000002
【特許請求の範囲】
【請求項１】
ＡＤＳＬモデムの高域通過フィルタの通過帯域および／または遮断周波数を調整する方法において、
受信信号のレベルと所定の信号レベルとを比較し、その比較結果を提供する段階と、
前記比較結果に基づいて制御信号を発生させる段階と、
前記制御信号に応答して前記ＡＤＳＬモデムの前記高域通過フィルタの前記通過帯域および／または遮断周波数を調節する段階と
を具備することを特徴とするＡＤＳＬモデムの高域通過フィルタの通過帯域および／または遮断周波数調整方法。
【請求項２】
前記通過帯域および／または遮断周波数を調節する段階は、前記高域通過フィルタの少なくとも一つの抵抗値によって調節されることを特徴とする請求項１に記載のＡＤＳＬモデムの高域通過フィルタの通過帯域および／または遮断周波数調整方法。
【請求項３】
前記制御信号を発生させる段階は、
前記受信信号のレベルが前記所定の信号レベルより低い場合に前記制御信号を論理的ローに設定する段階と、
前記受信信号のレベルが前記所定の信号レベルより高い場合に前記制御信号を論理的ハイに設定する段階とをさらに具備する請求項２に記載のＡＤＳＬモデムの高域通過フィルタの通過帯域および／または遮断周波数調整方法。
【請求項４】
前記ＡＤＳＬモデムの高域通過フィルタの通過帯域および／または遮断周波数調整方法は、前記制御信号に応答してスイッチを活性化および／または非活性化させる段階をさらに具備し、
前記スイッチは前記高域通過フィルタの前記少なくとも一つの抵抗を活性化および／または非活性化させることを特徴とする請求項３に記載のＡＤＳＬモデムの高域通過フィルタの通過帯域および／または遮断周波数調整方法。
【請求項５】
調節可能な通過帯域および／または遮断周波数を有するＡＤＳＬモデムの高域通過フィルタにおいて、
受信信号のレベルと所定の信号レベルとを比較し、前記比較結果に基づいて制御信号を出力する制御信号発生回路と、
前記制御信号に応答して前記ＡＤＳＬモデムの前記高域通過フィルタの前記通過帯域および／または前記遮断周波数を調節するフィルタと
を具備することを特徴とするＡＤＳＬモデムの高域通過フィルタ。
【請求項６】
前記フィルタは少なくとも一つの抵抗を具備し、前記フィルタは前記少なくとも一つの抵抗を前記高域通過フィルタに接続して前記通過帯域および／または前記遮断周波数を調節するか、または前記少なくとも一つの抵抗を前記高域通過フィルタから分離して前記通過帯域および／または前記遮断周波数を調節することを特徴とする請求項５に記載のＡＤＳＬモデムの高域通過フィルタ。
【請求項７】
前記制御信号発生回路は、
前記受信信号のレベルが前記所定の信号レベルより低い場合に前記制御信号を論理的ローに設定し、前記受信信号のレベルが前記所定の信号レベルより高い場合に前記制御信号を論理的ハイに設定することを特徴とする請求項５に記載のＡＤＳＬモデムの高域通過フィルタ。
【請求項８】
ＲＬＣを具備し、第１信号を受信して前記第１信号を高域通過フィルタリングし、第２信号を出力する高域通過フィルタにおいて、
前記高域通過フィルタは第１モードと第２モードとで動作し、
前記第１モードでの前記可変抵抗回路の抵抗値は前記第２モードでの前記可変抵抗回路の抵抗値と相異なり、
前記高域通過フィルタの通過帯域および／または遮断周波数は前記可変抵抗回路の抵抗値により調節されることを特徴とする高域通過フィルタ。
【請求項９】
前記高域通過フィルタはＡＤＳＬモデムで使われることを特徴とする請求項８に記載の高域通過フィルタ。
【請求項１０】
前記第１モードで前記第２信号のレベルは所定の信号レベルより低く、
前記第２モードで前記第２信号のレベルは前記所定の信号レベルより高いことを特徴とする請求項８に記載の高域通過フィルタ。
【請求項１１】
ＡＤＳＬモデムにおいて、
第１信号を受信する受信回路とＲＬＣとを具備し、前記第１信号を受信して前記第１信号を高域通過フィルタリングし、第２信号を出力する高域通過フィルタと、
前記高域通過フィルタに接続され、前記第２信号を受信して前記第２信号をデジタル信号に変換し、前記デジタル信号を出力する変換回路と、
前記変換回路に接続され、前記デジタル信号の大きさと所定の信号の大きさとを比較して、その比較結果に相応する制御信号を出力する制御信号発生回路とを具備し、
前記可変抵抗回路の値は前記制御信号に応答して調節されることを特徴とするＡＤＳＬモデム。
【請求項１２】
前記高域通過フィルタの通過帯域および／または遮断周波数は、前記可変抵抗回路の抵抗値に基づいて調節されることを特徴とする請求項１１に記載のＡＤＳＬモデム。
【請求項１３】
ＡＤＳＬモデムの通過帯域を制御する方法において、
第１信号を受信する段階と、
ＲＬＣを具備する高域通過フィルタを利用して前記第１信号を高域通過フィルタリングして第２信号を出力する段階と、
前記第２信号を受信して前記第２信号の大きさと所定の大きさとを比較し、その比較結果に相応する制御信号を出力する段階と、
前記制御信号に応答して前記可変抵抗回路の抵抗値を調節する段階と
を具備することを特徴とするＡＤＳＬモデムの通過帯域制御方法。
【請求項１４】
前記高域通過フィルタの前記通過帯域は前記Ｒの抵抗値に基づいて調節されることを特徴とする請求項１３に記載のＡＤＳＬモデムの通過帯域制御方法。
【発明の詳細な説明】
【０００１】
【発明の属する技術分野】
本発明はフィルタリング方法およびその関連装置に係り、より詳細には受信される信号の大きさによって通過帯域および／または遮断周波数を適応的に可変できる方法および装置に関する。より詳細にはＡＤＳＬモデムの受信データ率を制御する方法および装置に関する。
【０００２】
【従来の技術】
一般的にＡＤＳＬモデムは既存の電話線路を利用してアナログ通話サービスを提供するだけでなく、前記アナログ通話サービスに干渉せずに同時にデータサービス、インターネットサービスなどの高速デジタルサービスを提供する。
図１は、従来のＡＤＳＬ　ＲＴ（リモート・ターミナル）モデムの概略的なブロック図である。図１を参照すれば、ＡＤＳＬ　ＲＴモデム１０は入出力端ＴＰ、変圧器２、ハイブリッド３、ライン駆動回路（ＬＤ）４、高域通過フィルタ（ＨＰＦ）５、変換回路（アナログ−フロント−エンド；ＡＦＥ）６およびＤＭＴ（Ｄｉｓｃｒｅｔｅ　Ｍｕｌｔｉｔｏｎｅ　Ｔｒａｎｓｃｅｉｖｅｒ）送受信器７を具備する。
【０００３】
電話線（ツイストペアワイヤ）に接続される入出力端ＴＰを通じて受信された受信信号は変圧器２を通じてハイブリッド３に伝送される。ハイブリッド３は受信信号と送信信号とを分離し、受信信号をＨＰＦ５に伝送する。ＨＰＦ５はハイブリッド３の出力信号を受信して高域通過フィルタリングし、その結果をＡＦＥ６に出力する。ＡＦＥ６はＨＰＦ５の出力信号を受信して、アンチエイリアスしてデジタル信号に変換する。
ＤＭＴ送受信器７はＡＦＥ６の出力信号を受信して、ＡＤＳＬ標準変調方式（すなわち、ＡＮＳＩ規格）によってＡＦＥ６の出力信号を変調し、変調された信号は所定のインターフェースを通じてホストに出力される。
【０００４】
また、ＤＭＴ送受信器７で生成されたデジタル信号はＡＦＥ６に伝送される。ＡＦＥ６はＤＭＴ送受信器７の出力信号を受信してアナログ信号に変換し、フィルタリングしてその結果をＬＤ４に出力する。ＬＤ４はＡＦＥ６の出力信号を増幅した後、増幅された信号をハイブリッド３に出力する。ハイブリッド３は受信信号と送信信号とを分離し、送信信号を変圧器２に出力する。変圧器２の出力信号は入出力端ＴＰを通じて電話線に伝送される。
【０００５】
ＨＰＦ５はＬＤ４の出力信号（すなわち、送信信号）と入出力端ＴＰを通じて入力される音声信号とを遮断する機能をする。しかし、通信サービス企業とＡＤＳＬ　ＲＴモデム１０間の距離に関係なく、ＨＰＦ５の通過帯域または遮断周波数は一定なので、通信サービス企業とＡＤＳＬ　ＲＴモデム１０間の距離が長くなる場合、ＡＤＳＬ　ＲＴモデム１０のデータ率は低下する。
【０００６】
【発明が解決しようとする課題】
したがって、本発明が解決しようとする技術的な課題は、通信サービス企業とＡＤＳＬ　ＲＴモデム間の距離に適応させて通過帯域または遮断周波数を変えることのできる高域通過フィルタおよびこれを具備するＡＤＳＬモデムを提供することである。
また、通信サービス企業とＡＤＳＬ　ＲＴモデム間の距離に適応させて高域通過フィルタの通過帯域または遮断周波数を変えることのできる方法を提供することである。
【０００７】
【課題を解決するための手段】
前記課題を解決するため、本発明のＡＤＳＬモデムの高域通過フィルタの通過帯域および／または遮断周波数を調整する方法は、受信信号のレベルと所定の信号レベルとを比較し、その比較結果を提供する段階と、前記比較結果に基づいて制御信号を発生させる段階と、前記制御信号に応答して前記ＡＤＳＬモデムの前記高域通過フィルタの前記通過帯域および／または遮断周波数を調節する段階とを具備する。
【０００８】
前記課題を解決するため、本発明の調節可能な通過帯域および／または遮断周波数を有するＡＤＳＬモデムの高域通過フィルタは、受信信号のレベルと所定の信号レベルとを比較し、前記比較結果に基づいて制御信号を出力する制御信号発生回路と、前記制御信号に応答して前記ＡＤＳＬモデムの前記高域通過フィルタの前記通過帯域および／または前記遮断周波数を調節するフィルタとを具備する。
【０００９】
前記課題を解決するため、本発明はＲＬＣを具備し、第１信号を受信して前記第１信号を高域通過フィルタリングし、第２信号を出力する高域通過フィルタは第１モードと第２モードとで動作され、前記第１モードでの前記可変抵抗回路の抵抗値は前記第２モードでの前記可変抵抗回路の抵抗値と相異なく、前記高域通過フィルタの通過帯域および／または遮断周波数は前記可変抵抗回路の抵抗値により調節される。
【００１０】
前記課題を解決するため、本発明のＡＤＳＬモデムは、第１信号を受信する受信回路とＲＬＣとを具備し、前記第１信号を受信して前記第１信号を高域通過フィルタリングし、第２信号を出力する高域通過フィルタと、前記高域通過フィルタに接続され、前記第２信号を受信して前記第２信号をデジタル信号に変換し、前記デジタル信号を出力する変換回路と、前記変換回路に接続され、前記デジタル信号の大きさと所定の信号の大きさとを比較して、その比較結果に相応する制御信号を出力する制御信号発生回路とを具備し、前記可変抵抗回路の抵抗値は前記制御信号に応答して調節される。
【００１１】
前記課題を解決するため、本発明のＡＤＳＬモデムの通過帯域を制御する方法は、第１信号を受信する段階と、ＲＬＣを具備する高域通過フィルタを利用して前記第１信号を高域通過フィルタリングして第２信号を出力する段階と、前記第２信号を受信して前記第２信号の大きさと所定の大きさとを比較し、その比較結果に相応する制御信号を出力する段階と、前記制御信号に応答して前記可変抵抗回路の抵抗値を調節する段階とを具備する。
【００１２】
【発明の実施の形態】
本発明と本発明の動作上の利点および本発明の実施によって達成される目的を十分に理解するためには本発明の望ましい実施例を例示する添付図面および添付図面に記載された内容を参照する必要がある。
以下、添付した図面を参照して本発明の望ましい実施の形態を説明することによって、本発明を詳細に説明する。各図面に提示された同じ参照符号は同じ部材を示す。
【００１３】
図２は、本発明の実施例によるＨＰＦを具備するＡＤＳＬ　ＲＴモデムの概略的なブロック図である。ＡＤＳＬ　ＲＴモデム１００は入出力端対ＴＷＰ１、ＴＷＰ２、変圧器２０、ハイブリッド３０、ＬＤ４０、ＨＰＦ５０、ＡＦＥ６０およびＤＭＴ送受信器８０を具備する。ＡＤＳＬ　ＲＴモデム１００は入出力端対ＴＷＰ１、ＴＷＰ２を通じて同時に信号を受信または送信できる。
ＡＦＥ６０はプログラマブル減衰増幅器（ＰＡＡ）６１、低域通過フィルタ６３、デジタル−アナログ変換器（ＤＡＣ）６５、自動利得調節回路６７、アンチエイリアス低域通過フィルタ（ＡＡ−ＬＰＦ）６９およびアナログ−デジタル変換器（ＡＤＣ）７１を具備する。
【００１４】
電話線に接続される入出力端対ＴＷＰ１、ＴＷＰ２を通じて受信された受信信号は変圧器２０を通じてハイブリッド３０に伝送される。ハイブリッド３０は受信信号と送信信号とを分離して、受信信号をＨＰＦ５０に伝送する。受信回路は入出力端対ＴＷＰ１、ＴＷＰ２、変圧器２０およびハイブリッド３０で構成される。
ＨＰＦ５０はハイブリッド３０の出力信号ＩＮＰ、ＩＮＮを受信して高域通過フィルタリングし、その結果、ＯＵＴＰ、ＯＵＴＰをＡＦＥ６０に出力する。本発明によるＨＰＦ５０は図３および図４に図示したように抵抗Ｒ、インダクタＬおよびキャパシタＣで構成される。また、ＨＰＦ５０の通過帯域および／または遮断周波数は抵抗値によって変わる。
【００１５】
ＡＧＣ６７はＨＰＦ５の出力信号ＯＵＴＰ、ＯＵＴＮを受信して増幅し、増幅された信号をＡＡ−ＬＰＦ６９に出力する。ＡＡ−ＬＰＦ６９はＡＧＣ６７の出力信号を受信して、エイリアスを弱めるか、または除去してその結果をＡＤＣ　７１に出力する。ＡＤＣ７１はＡＡ−ＬＰＦ６９の出力信号をデジタル信号に変換し、その結果をＤＭＴ送受信器８０に出力する。
すなわち、ＡＦＥ６０は高域通過フィルタの出力信号ＯＵＴＰ、ＯＵＴＮを受信してデジタル信号に変換し、前記デジタル信号をＤＭＴ送受信器８０に出力する。
【００１６】
ＤＭＴ送受信器８０はＡＦＥ６０の出力信号を受信し、ＡＤＳＬ標準変調方式（ＡＮＳＩ規格）によってＡＦＥ６０の出力信号を変調し、変調された信号は所定のインターフェースを通じてホストまたはＰＣに出力される。
ＤＭＴ送受信器８０はＨＰＦ５０およびＡＦＥ６０を通じて受信される受信信号のレベルと所定の基準レベルとを比較して、その比較結果に相応する制御信号Ｌ＿ＬＯＯＰをＨＰＦ５０に出力する。本発明の実施例によるＨＰＦ５０は制御信号Ｌ＿ＬＯＯＰに応答してＨＰＦ５０の通過帯域または遮断周波数を可変できる。
【００１７】
受信信号のレベルが所定の基準レベルより低い場合、ＤＭＴ送受信器８０は非活性化（例えば“ロー”）した制御信号Ｌ＿ＬＯＯＰをＨＰＦ５０に出力し、受信信号のレベルが所定の基準レベルより高い場合、ＤＭＴ送受信器８０は活性化（例えば“ハイ”）した制御信号Ｌ＿ＬＯＯＰをＨＰＦ５０に出力する。
また、ＤＭＴ送受信器８０で生成されたデジタル信号はＡＦＥ６０のＤＡＣ６５に伝送される。ＤＡＣ６５はＤＭＴ送受信器８０の出力信号を受信してアナログ信号に変換し、ＬＦＰ６３に出力する。
【００１８】
ＬＦＰ６３はＤＡＣ６５の出力信号をフィルタリングし、その結果をＰＡＡ　６１に出力する。ＰＡＡ６１はＬＦＰ６３の出力信号のレベルを低くしてＬＤ４０に出力する。ＬＤ４０はＰＡＡ６１の出力信号を増幅した後、増幅された信号をハイブリッド３０に出力する。ハイブリッド３０は受信信号と送信信号とを分離して、送信信号だけを変圧器２０に出力する。変圧器２０の出力信号は入出力端対ＴＷＰ１、ＴＷＰ２を通じて電話線に伝送される。
【００１９】
図３は、本発明の実施例によるＨＰＦの回路図を示す。図３を参照すれば、ＨＰＦ５０は可変抵抗ＲＶＰ５１、ＲＶＮ５３およびフィルタ５５を具備する。可変抵抗ＲＶＰ５１は入力端５２とノードＮＯＤＡとの間に接続され、可変抵抗ＲＶＮ５３は入力端５４とノードＮＯＤＢとの間に接続される。入力信号ＩＮＰ、ＩＮＮの各々は各入力端５２、５４を通じて入力される。
【００２０】
キャパシタＣ１ＰはノードＮＯＤＡとノードＮＯＤＣとの間に接続され、キャパシタＣ１ＮはノードＮＯＤＢとノードＮＯＤＧとの間に接続される。インダクタＬ２ＰはノードＮＯＤＣとノードＤＯＤＤとの間に接続され、キャパシタＣ３はノードＮＯＤＤとノードＮＯＤＥとの間に接続され、インダクタＬ２ＮはノードＮＯＤＥとノードＮＯＤＧとの間に接続される。
キャパシタＣ４ＰはノードＮＯＤＣと出力端５６との間に接続され、キャパシタＣ４ＮはノードＮＯＤＧと出力端５８との間に接続され、インダクタＬ５Ｐは出力端５６とノードＮＯＤＦとの間に接続され、インダクタＬ５ＮはノードＮＯＤＦと出力端５８との間に接続される。
【００２１】
図４は、図３に使われる可変抵抗の回路図を示す。図４の可変抵抗５１、５３は第１抵抗ＲＶ１、第２抵抗ＲＶ２およびスイッチＳＷ１を具備する。スイッチＳＷ１はＤＭＴ送受信器８０から出力される制御信号Ｌ＿ＬＯＯＰに応答してスイッチングされる。図２および図４を参照して、第１抵抗ＲＶ１の値が１ＫΩであり、第２抵抗ＲＶ２の値が２８２Ωである場合を説明すれば次の通りである。ＤＭＴ送受信器８０が受信した信号のレベルが所定の基準レベルより低い場合（第１モードという）、ＤＭＴ送受信器８０は非活性化した制御信号Ｌ＿ＬＯＯＰをＨＰＦ５０に出力する。制御信号Ｌ＿ＬＯＯＰを受けたＨＰＦ５０はスイッチＳＷ１によってＲＶ２を切り離し、可変抵抗５１の値および可変抵抗５３の値を１ＫΩに設定する。
【００２２】
しかし、ＤＭＴ送受信器８０が受信した信号のレベルが所定の基準レベルより高い場合（第２モードという）、ＤＭＴ送受信器８０は活性化した制御信号Ｌ＿ＬＯＯＰをＨＰＦ５０に出力する。制御信号Ｌ＿ＬＯＯＰを受けたＨＰＦ５０はスイッチＳＷ１によってＲＶ１とＲＶ２とを並列接続し、可変抵抗５１の値および可変抵抗５３の値を２２０Ωに設定する。
このように、ＨＰＦ５０の通過帯域または遮断周波数は可変抵抗５１の値および可変抵抗５３の値によって変わる。
【００２３】
図５は、本発明の実施例によるＨＰＦの周波数特性を示す。図６は、本発明の実施例によるＨＰＦのデータ率を示す。
図５および図６を参照すると、通信サービス企業とＡＤＳＬ　ＲＴモデムとの間の距離が０Ｋｆｔ（キロフィート）〜６Ｋｆｔでは可変抵抗５１、５３の値が１ＫΩである場合、ＤＭＴ送受信器８０の受信データ率が良いことがわかる。
一方、通信サービス企業とＡＤＳＬ　ＲＴモデム間との距離が９Ｋｆｔより長い場合、可変抵抗５１、５３の値が２２０Ωである場合にＤＭＴ送受信器８０の受信データ率が良くなることがわかる。
【００２４】
すなわち、通信サービス企業とＡＤＳＬ　ＲＴモデムとの間の距離が０Ｋｆｔ〜６Ｋｆｔの場合には制御信号Ｌ＿ＬＯＯＰを非活性化し、当該距離が９Ｋｆｔ以上の場合には制御信号Ｌ＿ＬＯＯＰを活性化することにより、モデム１００は通信サービス企業とＡＤＳＬ　ＲＴモデムとの間の距離に関係なく最適のデータ率でデータを受信することができる。
ここで、短いループと長いループとは受信データ率のスレショルドを基準に相対的に決定される。長いループとは「通信サービス企業とＡＤＳＬ　ＲＴモデムとの間の距離が９Ｋｆｔより長い場合」を意味し、短いループとは「通信サービス企業とＡＤＳＬ　ＲＴモデムとの間の距離が９Ｋｆｔより短い場合」を意味する。
【００２５】
このように、本発明によるＨＰＦ５０は通信サービス企業とＡＤＳＬ　ＲＴモデムとの間の距離によって可変抵抗５１、５３の抵抗値を変えることができるので、ＨＰＦ５０の通過帯域または遮断周波数は可変になる。したがって、ＨＰＦ５０を具備するＡＤＳＬ　ＲＴモデム１００は、通信サービス企業とＡＤＳＬ　ＲＴモデムとの間の距離に関係なく最適のデータ率で受信信号を受信することができる。
【００２６】
本発明は図面に示した一実施例を参考して説明されたが、これは例示的なものに過ぎず、本技術分野の当業者であればこれより多様な変形および均等な他の実施例が可能であるという点を理解できる。したがって、本発明の真の技術的保護範囲は特許請求の範囲の技術的思想により決まらねばならない。
【００２７】
【発明の効果】
このように、本発明のＲＬＣを具備するＨＰＦの通過帯域または遮断周波数制御方法によれば、受信信号の大きさによって抵抗値を自動的に変えることができるので最適のデータ率で信号を受信することができる。
また、本発明のＡＤＳＬモデムの通過帯域制御方法によれば、ＲＬＣを具備するＨＰＦの受信信号の大きさによって抵抗値を自動的に変えることができるので、ＡＤＳＬモデムは最適のデータ率で信号を受信することができる。
また、本発明のＨＰＦまたはＡＤＳＬモデムによれば、通信サービス企業とＡＤＳＬ　ＲＴモデムとの間の距離によって抵抗値を変えることができるので、最適のデータ率で信号を受信することができる。
【図面の簡単な説明】
【図１】図１は従来のＡＤＳＬ　ＲＴモデムの概略的なブロック図である。
【図２】本発明の実施の形態であるＡＤＳＬ　ＲＴモデムの概略的なブロック図。
【図３】本発明の実施の形態であるＨＰＦの回路図である。
【図４】図３に使われる可変抵抗の回路図である。
【図５】本発明の実施の形態であるＨＰＦの周波数特性を示す図面である。
【図６】本発明の実施の形態であるＨＰＦのデータ率を示す図面である。
【符号の説明】
５０　　ＨＰＦ
５１　　可変抵抗
５２、５４　　入力端
５５　　フィルタ
５６、５８　　出力端
【図１】
2004032727.tif 000003
【図２】
2004032727.tif 000004
【図３】
2004032727.tif 000005
【図４】
2004032727.tif 000006
【図５】
2004032727.tif 000007
【図６】
2004032727.tif 000008